(57)【要約】【課題】意図しないときにナスカンが外れることを防止できる留め具、及びその留め具を備えた端末装置を提供する。【解決手段】留め具は、平行に配置された下板２６ａ及び上板と、下板２６ａと上板との間を接続する壁部２７と、下板２６ａの端部に配置された第１の支柱２８ａ及び第２の支柱２８ｂとを有する。下板２６ａと上板２６ｂとの間の距離をＡ、第１の支柱２８ａの中心と第２の支柱２８ｂの中心との間の距離をＢ、第１の支柱２８ａ及び第２の支柱２８ａ，２８ｂの直径をＣ、ナスカン３２のフック４２の開口部が閉鎖された状態におけるフック４２の内壁面とノブ４４との間の距離の最大値をＷ、基部４１の直径をＺとしたときに、（Ａ＜Ｚ）又は（Ｂ−Ｃ＜Ｚ）の少なくとも一方を満足し、且つ（Ｂ＋Ｃ＜Ｗ）を満足する。【選択図】図１０
2018028353.tif 000002
【特許請求の範囲】
【請求項１】
筒状の基部と、前記基部に連絡するＣ字状のフックと、前記基部から伸びて前記フックの開口部を閉鎖する開閉ロッドと、前記開閉ロッドをスライドさせるためのノブとを有する接続具を接続する留め具において、
平板状の下板と、
前記下板に平行な上板と、
前記下板と前記上板との間を接続する壁部と、
前記下板の端部に前記下板の幅方向に離隔して配置されて前記下板と前記上板との間を連絡する第１の支柱及び第２の支柱とを有し、
前記下板と前記上板との間の距離をＡ、前記第１の支柱の中心と前記第２の支柱の中心との間の距離をＢ、前記第１の支柱及び前記第２の支柱の直径をＣ、前記フックの開口部が前記開閉ロッドにより閉鎖された状態における前記フックの内壁面と前記ノブとの間の距離の最大値をＷ、前記基部の直径をＺとしたときに、
（Ａ＜Ｚ）又は（Ｂ−Ｃ＜Ｚ）の少なくとも一方を満足し、且つ（Ｂ＋Ｃ＜Ｗ）を満足することを特徴とする留め具。
【請求項２】
前記第１の支柱及び前記第２の支柱が、前記下板の中心線に対し対称の位置に配置されていることを特徴とする請求項１に記載の留め具。
【請求項３】
前記第１の支柱の中心と前記壁部の端部とを通る直線上における前記第１の支柱の外側と前記壁部の端部までの距離をＥ、前記フックの開口部が開いた状態における前記フックの端部と前記ノブとの間の距離をＶとしたときに、（Ｅ＞Ｖ）を満足することを特徴とする請求項２に記載の留め具。
【請求項４】
前記第１の支柱の中心と前記壁部の端部とを通る直線をＮ、前記フックの開口部が開いた状態における前記フックの端部と前記ノブとを結ぶ直線をＮ’とし、更に前記直線Ｎと前記直線Ｎ’とが重なり且つ前記フックの端部と前記下板の中心線とが重なるように前記接続具と前記下板とを配置したときにおける前記下板の中心線と前記下板の中心線に平行な前記フックの接線との間の距離をＴとしたときに、（Ｂ−Ｃ＜Ｔ）を満足することを特徴とする請求項２に記載の留め具。
【請求項５】
筒状の基部と、前記基部に連絡するＣ字状のフックと、前記基部から伸びて前記フックの開口部を閉鎖する開閉ロッドと、前記開閉ロッドをスライドさせるためのノブとを有する接続具を接続する留め具を備えた端末装置において、
前記留め具が、
平板状の下板と、
前記下板に平行な上板と、
前記下板と前記上板との間を接続する壁部と、
前記下板の端部に前記下板の幅方向に離隔して配置されて前記下板と前記上板との間を連絡する第１の支柱及び第２の支柱とを有し、
前記下板と前記上板との間の距離をＡ、前記第１の支柱の中心と前記第２の支柱の中心との間の距離をＢ、前記第１の支柱及び前記第２の支柱の直径をＣ、前記フックの開口部が前記開閉ロッドにより閉鎖された状態における前記フックの内壁面と前記ノブとの間の距離の最大値をＷ、前記基部の直径をＺとしたときに、
（Ａ＜Ｚ）又は（Ｂ−Ｃ＜Ｚ）の少なくとも一方を満足し、且つ（Ｂ＋Ｃ＜Ｗ）を満足する
ことを特徴とする端末装置。
【発明の詳細な説明】
【技術分野】
【０００１】
本発明は、ナスカン（接続具）を接続する留め具、及びその留め具を備えた端末装置に関する。
【背景技術】
【０００２】
工場や店舗等において、商品管理にタブレット型ＰＣ（Personal Computer）等の端末装置が広く用いられている。そのような端末装置は、不用意な取扱いによる落下等に起因する破損を防止するために、ショルダーストラップを取り付けて肩に下げて使用することが多い。
【０００３】
例えば、ノブをスライドさせると環の一部が開く構造の接続具（いわゆる「鉄砲ナスカン」）を両端に取り付けたショルダーストラップを使用し、そのショルダーストラップを着脱自在に接続できるようにした端末装置が実用化されている。
【０００４】
鉄砲ナスカンは、筒状の基部と、基部に連絡するＣ字状のフックと、基部から伸びてフックの開口部を閉鎖する開閉ロッドと、開閉ロッドをスライドさせるためのノブとを有している。ノブと開閉ロッドとは基部内で連結されており、開閉ロッドはノブと連動してスライドする。また、基部内には、フックの開口部を閉鎖する方向に開閉ロッドを付勢するばねが配置されている（例えば、特許文献１等参照）。
【先行技術文献】
【特許文献】
【０００５】
【特許文献１】実用新案登録第３１７４４７６号公報
【発明の概要】
【発明が解決しようとする課題】
【０００６】
鉄砲ナスカンは、指でノブをスライドさせることで環の一部（閉鎖されていたフックの開口部）が開く。しかし、端末装置にショルダーストラップを取り付けて使用していると、ノブが端末装置の筐体に接触して環が開き、端末装置から鉄砲ナスカンが外れてしまうことがある。このように、意図しないときに端末装置から鉄砲ナスカンが外れてしまうと、端末装置が落下して破損することがある。
【０００７】
開示の技術は、意図しないときにナスカンが外れることを防止できる留め具、及びその留め具を備えた端末装置を提供することを目的とする。
【課題を解決するための手段】
【０００８】
開示の技術の一観点によれば、筒状の基部と、前記基部に連絡するＣ字状のフックと、前記基部から伸びて前記フックの開口部を閉鎖する開閉ロッドと、前記開閉ロッドをスライドさせるためのノブとを有する接続具を接続する留め具において、平板状の下板と、前記下板に平行な上板と、前記下板と前記上板との間を接続する壁部と、前記下板の端部に前記下板の幅方向に離隔して配置されて前記下板と前記上板との間を連絡する第１の支柱及び第２の支柱とを有し、前記下板と前記上板との間の距離をＡ、前記第１の支柱の中心と前記第２の支柱の中心との間の距離をＢ、前記第１の支柱及び前記第２の支柱の直径をＣ、前記フックの開口部が前記開閉ロッドにより閉鎖された状態における前記フックの内壁面と前記ノブとの間の距離の最大値をＷ、前記基部の直径をＺとしたときに、（Ａ＜Ｚ）又は（Ｂ−Ｃ＜Ｚ）の少なくとも一方を満足し、且つ（Ｂ＋Ｃ＜Ｗ）を満足する留め具が提供される。
【０００９】
開示の技術の他の一観点によれば、筒状の基部と、前記基部に連絡するＣ字状のフックと、前記基部から伸びて前記フックの開口部を閉鎖する開閉ロッドと、前記開閉ロッドをスライドさせるためのノブとを有する接続具を接続する留め具を備えた端末装置において、前記留め具が、平板状の下板と、前記下板に平行な上板と、前記下板と前記上板との間を接続する壁部と、前記下板の端部に前記下板の幅方向に離隔して配置されて前記下板と前記上板との間を連絡する第１の支柱及び第２の支柱とを有し、前記下板と前記上板との間の距離をＡ、前記第１の支柱の中心と前記第２の支柱の中心との間の距離をＢ、前記第１の支柱及び前記第２の支柱の直径をＣ、前記フックの開口部が前記開閉ロッドにより閉鎖された状態における前記フックの内壁面と前記ノブとの間の距離の最大値をＷ、前記基部の直径をＺとしたときに、（Ａ＜Ｚ）又は（Ｂ−Ｃ＜Ｚ）の少なくとも一方を満足し、且つ（Ｂ＋Ｃ＜Ｗ）を満足する端末装置が提供される。
【発明の効果】
【００１０】
上記一観点に係る留め具及び端末装置によれば、意図しないときにナスカンが外れることを防止できる。
【図面の簡単な説明】
【００１１】
【図１】図１は、鉄砲ナスカンを接続する留め具の一例を示す平面図である。
【図２】図２は、同じくその留め具を取り付けた端末装置の一部分を示す斜視図である。
【図３】図３は、端末装置の一例を示す斜視図である。
【図４】図４は、同じくその端末装置の裏面を示す平面図である。
【図５】図５（ａ）は留め具の平面図、図５（ｂ）は図５（ａ）のＩ−Ｉ線の位置における断面図である。
【図６】図６は、ナスカン接続部を先端側から見たときの斜視図である。
【図７】図７は、ナスカン接続部の断面図である。
【図８】図８は、端末装置にショルダーストラップを取り付けた状態を示す平面図である。
【図９】図９（ａ），（ｂ）はナスカンを示す平面図である。
【図１０】図１０（ａ）,（ｂ）は、留め具にナスカンを接続した状態を示す図である。
【図１１】図１１は、ナスカン接続部における下板と上板との間の距離Ａを示す図である。
【図１２】図１２は、２本の支柱の中心間の距離Ｂ、及び支柱の直径Ｃを示す図である。
【図１３】図１３は、ナスカンの環が閉じた状態におけるナスカンのフックの内壁面とノブとの距離の最大値Ｗ、及び基部の直径Ｚを示す図である。
【図１４】図１４は、ナスカンが支柱に接続されている状態を示す斜視図である。
【図１５】図１５は、留め具のエッジとノブとが接触した状態を示す斜視図である。
【図１６】図１６は、誤接続を示す図である。
【図１７】図１７は、支柱の中心と壁部の端部とを通る直線Ｎ、及び直線Ｎ上における支柱の外側と壁部の端部までの距離Ｅを示す図である。
【図１８】図１８は、ナスカンの環が開いた状態におけるフックの端部とノブの端部とを結ぶ直線Ｎ’、及び直線Ｎ’上におけるフックの端部とノブの端部との間の距離Ｖを示す図である。
【図１９】図１９は、直線Ｎと直線Ｎ’とが重なり且つフックの端部が下板の中心線と重なるように留め具とナスカンとを配置した状態を示す図である。
【発明を実施するための形態】
【００１２】
以下、実施形態について説明する前に、実施形態の理解を容易にするための予備的事項について説明する。
【００１３】
図１は鉄砲ナスカン（以下、単に「ナスカン」という）を接続する留め具の一例を示す平面図、図２は同じくその留め具を取り付けた端末装置の一部分を示す斜視図である。
【００１４】
図１に示す留め具１１は平板状の部材であり、端末装置１０に固定するねじ１４（図２参照）が通る２つの穴１２と、ナスカン１７を接続するための穴１３とを有している。
【００１５】
また、図２に示すように、ショルダーストラップ１５は、ベルト１６と、ベルト１６の端部に接続されたナスカン１７とを有している。ナスカン１７は、フックの開口部が開いた状態でフックを留め具１１の穴１３に通し、その後開閉ロッドによりフックの開口部を閉鎖することで留め具１１に接続する。
【００１６】
ところで、ショルダーストラップ１５を肩に掛けて端末装置１０を使用しているときに、図２に示すようになってナスカン１７のノブ１７ａが端末装置１０の筐体に接触することがある。このような状態でショルダーストラップ１５に特定の方向に引っ張る力が働くと、ノブ１７ａが端末装置１０の筐体に押圧されてスライドし、それにより環が開いて留め具１１からナスカン１７が外れてしまうことがある。
【００１７】
以下の実施形態では、意図しないときにナスカンが外れることを防止できる留め具について説明する。
【００１８】
（実施形態）
図３は端末装置の一例を示す斜視図であり、図４は同じくその端末装置の裏面を示す平面図である。
【００１９】
図３に示す端末装置２０の表面側には、タッチセンサ付き表示パネル２１が設けられている。また、端末装置２０の裏面の幅方向の両側には、ショルダーストラップを取り付けるための留め具２２が配置されている。それらの留め具２２は、いずれも２本のねじ２４により端末装置２０の筐体に固定される。
【００２０】
図５（ａ）は留め具２２の平面図、図５（ｂ）は図５（ａ）のＩ−Ｉ線の位置における断面図である。
【００２１】
留め具２２は例えばプラスチックにより形成されており、端末装置２０に固定するねじ２４が通る２つの穴２３が設けられた平板状の下板２６ａを有する。この下板２６ａの一端側には、ナスカンを接続するためのナスカン接続部２５が設けられている。以下、説明の便宜上、留め具２２において、図５の上側を先端側という。
【００２２】
図６は、ナスカン接続部２５を先端側から見たときの斜視図である。また、図７は同じくそのナスカン接続部２５の断面図である。図７は、図５（ｂ）のII−II線の位置における断面を示している。
【００２３】
ナスカン接続部２５は、図５（ｂ），図６に示すように、下板２６ａに対し垂直に配置された壁部２７と、壁部２７の端部に連絡して下板２６ａに平行に配置された上板２６ｂとを有する。上板２６ｂは、下板２６ａの先端部と同じ形状に形成されている。
【００２４】
また、ナスカン接続部２５の先端には、下板２６ａと上板２６ｂとの間を連絡する２本の支柱２８ａ，２８ｂが、下板２６ａの幅方向に相互に離隔して配置されている。それらの支柱２８ａ，２８ｂは円柱状であり、図７に示すようにナスカン接続部２５における下板２６ａの中心線に対し対称の位置に配置されている。
【００２５】
図８は、端末装置２０にショルダーストラップ３０を取り付けた状態を示す平面図である。ショルダーストラップ３０は、ベルト３１と、ベルト３１の両端にそれぞれ取り付けられたナスカン３２とを有する。ベルト３１は、長さ調整機構（図示せず）により長さの調整が可能である。本実施形態では、ベルト３１として布製の平ベルトを使用している。
【００２６】
図９（ａ），（ｂ）はナスカン３２を示す平面図である。図９（ａ）は環が閉じた状態を示し、図９（ｂ）は環が開いた状態を示している。
【００２７】
図９（ａ），（ｂ）に示すように、ナスカン３２は、筒状の基部４１と、基部４１に連絡するＣ字状のフック４２と、基部４１から伸びてフック４２の開口部を閉鎖する開閉ロッド４３と、開閉ロッド４３をスライドさせるためのノブ４４とを有している。ノブ４４と開閉ロッド４３とは基部４１内で連結されており、開閉ロッド４３はノブ４４と連動してスライドする。また、基部４１内には、フック４２の開口部を閉鎖する方向に開閉ロッド４３を付勢するばね（図示せず）が配置されている。
【００２８】
なお、フック４２の内径は、ナスカン接続部２５の支柱２８ａ，２８ｂの直径よりも若干大きく設定されている。また、フック４２の開口部は支柱２８ａ，２８ｂの直径よりも若干大きく設定されている。更に、基部４１の端部にはベルト３１に接続される接続環４５（図２参照）が設けられている。
【００２９】
図１０（ａ）,（ｂ）は、留め具２２にナスカン３２を接続した状態を示している。
【００３０】
これらの図１０（ａ）,（ｂ）に示すように、ナスカン３２は支柱２８ａ又は支柱２８ｂのいずれか一方に接続する。支柱２８ａ，２８ｂのどちらに接続した場合も、図１０（ａ）,（ｂ）のように開閉ロッド４３の中心線が下板２６ａの中心線と平行になるようにナスカン３２を配置したときに、開閉ロッド４３は支柱２８ａと支柱２８ｂとの間に位置する。
【００３１】
ここで、ナスカン３２が不用意に外れないための条件、すなわち図１０（ａ）又は図１０（ｂ）のようにナスカン３２が留め具２２に接続されているときにノブ４４が留め具２２に接触しない条件について説明する。
【００３２】
ここでは、図１１に示すように、ナスカン接続部２５における下板２６ａと上板２６ｂとの間の距離をＡとする。また、図１２に示すように、支柱２８ａの中心と支柱２８ｂの中心との間の距離をＢ、支柱２８ａ，２８ｂの直径をＣとする。
【００３３】
更に、図１３に示すように、ナスカン３２の環が閉じた状態におけるナスカン３２のフック４２の内壁面とノブ４４の端部（フック４２の開口側の端部）との距離の最大値をＷとし、図１３に示すように、ナスカン３２の基部４２の直径をＺとする。
【００３４】
例えば図１４のようにナスカン３２が支柱２８ａに接続されている場合、支柱２８ａと支柱２８ｂとの間にナスカン３２の基部４１が入ると、支柱２８ｂにノブ４４が当接し、ノブ４４がスライドして環が開くことが考えられる。これを回避するためには、下板２８ａと上板２８ｂとの間の距離Ａを、ナスカン３２の基部４１の直径Ｚよりも小さく（Ａ＜Ｚ）するか、又は支柱２８ａ，２８ｂ間の距離（Ｂ−Ｃ）をナスカン３２の基部４１の直径Ｚよりも小さく（Ｂ−Ｃ＜Ｚ）とすればよい。
【００３５】
また、ナスカン３２が支柱２８ａに接続されている場合、図１５のように支柱２８ａを回転軸としてナスカン３２が回転すると、留め具２２（下板２６ａ又は上板２６ｂ）のエッジとノブ４４とが接触し、ノブ４４がスライドして環が開くことが考えられる。これを回避するためには、支柱２８ａの外側から支柱２８ｂの外側までの距離（Ｂ＋Ｃ）を、図１３に示すＷの値よりも小さく（Ｂ＋Ｃ＜Ｗ）すればよい。
【００３６】
すなわち、図１０（ａ），（ｂ）のようにナスカン３２が留め具２２に接続されているときにノブ４４が留め具２２に接触してスライドすることを回避するためには、（Ａ＜Ｚ）又は（Ｂ−Ｃ＜Ｚ）の少なくとも一方を満足し、且つ（Ｂ＋Ｃ＜Ｗ）を満足すればよい。
【００３７】
ところで、本実施形態では、図１０（ａ），（ｂ）に示すように、開閉ロッド４３の中心線が下板２６ａの中心線と平行になるようにナスカン３２を配置したときに、開閉ロッド４３が支柱２８ａ，２８ｂ間に位置する。
【００３８】
しかし、例えば図１６に示すように、開閉ロッド４３が、支柱２８ａ，２８ｂの外側に位置するようにナスカン３２をナスカン接続部２５に接続することが考えられる。その場合、ノブ４４が端末装置２０の筐体に接触してノブ４４がスライドし、環が開いてしまうことが考えられる。
【００３９】
以下、図１６に示す接続を、「誤接続」という。ここでは、誤接続を防止する条件について説明する。
【００４０】
まず、図１７に示すように、支柱２８ａ（又は、支柱２８ｂ）の中心と壁部２７の端部とを通る直線をＮとする。また、直線Ｎ上における支柱２８ａ（又は、支柱２８ｂ）の外側と壁部２７の端部までの距離をＥとする。
【００４１】
更に、図１８に示すように、ナスカン３２の環が開いた状態におけるフック４２の端部（図１６中の点Ｐ）とノブ４４の端部（フック４２の開口部側の端部）とを結ぶ直線をＮ’とする。更にまた、直線Ｎ’上におけるフック４２の端部（図１６中の点Ｐ）とノブ４４の端部（フック４２の開口部側の端部）との間の距離をＶとする。
【００４２】
この場合、支柱２８ａ（又は、支柱２８ｂ）の外側と壁部２７の端部までの距離Ｅを、フック４２の端部とノブ４４の端部との間の距離をＶよりも大きく（Ｅ＞Ｖ）すれば、支柱２８ａ（又は、支柱２８ｂ）にフック４２を掛けることができなくなる。
【００４３】
また、支柱２８ａと支柱２８ｂとの間の距離（Ｂ−Ｃ）を、以下のように設定してもよい。すなわち、図１９に示すように、直線Ｎと直線Ｎ’とが重なり、且つフック４２の端部（点Ｐ）が下板２６ａの中心線と重なるように留め具２２とナスカン３２とを配置する。そして、下板２６ａの中心線とフック４２の接線のうち下板２６ａの中心線と平行な接線との間の距離をＴとする。
【００４４】
この場合、支柱２８ａと支柱２８ｂとの間の距離（Ｂ−Ｃ）よりもＴの値を大きく（Ｂ−Ｃ＜Ｔ）することで、支柱２８ａ，２８ｂ間にフック４３が入ることを防止でき、誤接続を回避できる。
【００４５】
すなわち、誤接続を回避するためには、（Ｅ＞Ｖ）又は（Ｂ−Ｃ＜Ｔ）のいずれか一方の条件を満足すればよい。
【符号の説明】
【００４６】
１０…端末装置、１１…留め具、１４…ねじ、１５…ショルダーストラップ、１６…ベルト、１７…ナスカン、１７ａ…ノブ、２０…端末装置、２１…表示パネル、２２…留め具、２４…ねじ、２５…ナスカン接続部、２６ａ…下板、２６ｂ…上板、２７…壁部、２８ａ，２８ｂ…支柱、３０…ショルダーストラップ、３１…ベルト、３２…ナスカン、４１…基部、４２…フック、４３…開閉ロッド、４４…ノブ、４５…接続環。
【図１】
2018028353.tif 000003
【図２】
2018028353.tif 000004
【図３】
2018028353.tif 000005
【図４】
2018028353.tif 000006
【図５】
2018028353.tif 000007
【図６】
2018028353.tif 000008
【図７】
2018028353.tif 000009
【図８】
2018028353.tif 000010
【図９】
2018028353.tif 000011
【図１０】
2018028353.tif 000012
【図１１】
2018028353.tif 000013
【図１２】
2018028353.tif 000014
【図１３】
2018028353.tif 000015
【図１４】
2018028353.tif 000016
【図１５】
2018028353.tif 000017
【図１６】
2018028353.tif 000018
【図１７】
2018028353.tif 000019
【図１８】
2018028353.tif 000020
【図１９】
2018028353.tif 000021